(57)【要約】【課題】脳の障害のために体肢が麻痺した患者のリハビリテーションを支援するシステムを提供する。【解決手段】麻痺した体肢部分の運動を支援する運動支援装置１０と、患者の脳波データを解析する脳波データ解析装置２０と、脳波データ解析装置の解析結果に基づいて運動支援装置の駆動を制御する制御ユニット３０と、を備え、脳波データ解析装置は、健常者及び麻痺者の脳波から体肢部分の運動を意図したときに現れる運動想起データを識別して、健常者の運動想起データが分布する第１領域と麻痺者の運動想起データが分布する第２領域との境界線を機械学習し、運動支援装置を装着した患者の脳波から検出した運動想起データと境界線との距離がある程度近ければ運動支援装置を駆動する。患者の運動意欲に基づいて、麻痺した体肢が運動支援装置の支援を受けて動くため、リハビリテーションの効果が上がる。【選択図】図１
2019180959.tif 000002
【特許請求の範囲】
【請求項１】
脳の障害のために体肢が麻痺した患者のリハビリテーションを支援するシステムであって、
前記患者が、麻痺した体肢部分の運動の支援を受けるために装着する運動支援装置と、
前記患者の脳波データを解析する脳波データ解析装置と、
前記脳波データ解析装置の解析結果に基づいて前記運動支援装置の駆動を制御する制御ユニットと、
を備え、
前記脳波データ解析装置は、
脳波データを取得する脳波取得部と、
前記脳波データから、前記体肢部分の運動を意図したときに現れる運動想起データを識別して、前記体肢部分が麻痺していないヒトの前記運動想起データが分布する第１の領域と、前記体肢部分が麻痺しているヒトの前記運動想起データが分布する第２の領域とを分かつ境界線を機械学習し、前記運動支援装置を装着した患者の脳波データから識別した運動想起データの属する領域の情報、または、該運動想起データと前記境界線との間の距離を示す情報を出力する機械学習手段と、
を有し、
前記制御ユニットは、前記運動支援装置を装着した患者の前記運動想起データが、前記境界線から所定距離以内にあるとき、または、前記第１の領域にあるとき、前記運動支援装置の駆動を指示する、リハビリテーション支援システム。
【請求項２】
請求項１記載のリハビリテーション支援システムであって、
前記機械学習手段が、サポートベクターマシン（ＳＶＭ）である、リハビリテーション支援システム。
【請求項３】
請求項２記載のリハビリテーション支援システムであって、
前記ＳＶＭは、健常者の脳波データと、前記体肢部分が麻痺しているヒトの脳波データとを用いて前記境界線を機械学習する、リハビリテーション支援システム。
【請求項４】
請求項２記載のリハビリテーション支援システムであって、
前記ＳＶＭは、片麻痺患者の麻痺していない側の脳波データを、前記体肢部分が麻痺していないヒトの脳波データとして用いて前記境界線を機械学習する、リハビリテーション支援システム。
【請求項５】
請求項１記載のリハビリテーション支援システムであって、
前記制御ユニットは、前記運動支援装置を装着した患者の麻痺した体肢部分にセラピストが手を添えて運動させたときの用手運動を記憶する記憶部を有し、前記患者の前記運動想起データが、前記境界線から所定距離以内にあるとき、または、前記第１の領域にあるとき、前記運動支援装置に、前記記憶部に記憶された前記用手運動の再現を指示する、リハビリテーション支援システム。
【請求項６】
請求項１に記載のリハビリテーション支援システムであって、
前記運動支援装置は、上肢が麻痺した前記患者の上腕に装着される上腕駆動アームと、前記患者の前腕に装着される前腕駆動アームと、前記上腕駆動アーム及び前腕駆動アームを駆動する駆動部と、を備えるリハビリテーション支援システム。
【請求項７】
脳の障害のために体肢が麻痺した患者のリハビリテーションを支援する方法であって、
体肢部分に麻痺が発生しているヒト及び麻痺が発生していないヒトの脳波データをサンプルデータとして取得するサンプル脳波取得ステップと、
前記サンプル脳波取得ステップで取得した脳波データから、前記体肢部分の運動を意図したときに現れる運動想起データを識別して、前記体肢部分が麻痺していないヒトの前記運動想起データが分布する第１の領域と、前記体肢部分が麻痺しているヒトの前記運動想起データが分布する第２の領域とを分かつ境界線を機械学習する機械学習ステップと、
前記体肢部分の運動を支援する運動支援装置を前記患者に装着し、前記患者の体肢部分にセラピストが手を添えて用手運動を行い、そのときの前記運動支援装置の動作を記憶する用手運動記録ステップと、
前記運動支援装置を装着した患者の脳波データを取得する患者脳波取得ステップと、
前記患者脳波取得ステップで取得した脳波データから前記運動想起データを識別し、該運動想起データが属する前記領域、または、該運動想起データと前記境界線との間の距離を識別する患者脳波解析ステップと、
前記運動支援装置を装着した前記患者の前記運動想起データが、前記境界線から所定距離以内にあるとき、または、前記第１の領域にあるとき、前記運動支援装置を駆動して前記用手運動を再現させる運動支援装置駆動ステップと、
を備えるリハビリテーション支援方法。
【発明の詳細な説明】
【技術分野】
【０００１】
本発明は、脳性麻痺した体肢の運動機能を回復するリハビリテーションを支援する支援システムと、その支援方法に関する。
【背景技術】
【０００２】
脳梗塞や脳出血を発症すると、脳の神経細胞に障害が発生し、急性期症状が治癒した後も、脳の障害が原因で手足の麻痺などの後遺症が残ることが少なくない。
本発明者等は、先に、上肢が麻痺した患者のリハビリテーションを支援する運動支援装置（アームロボット）を提案している（下記特許文献１）。
この装置は、図５に示すように、患者の上腕を固定する固定部１１１を備える上腕駆動アーム１１と前腕を固定する固定部１２１を備える前腕駆動アーム１２と、を有しており、前腕駆動アーム１２及び上腕駆動アーム１１が、設定されたプログラムに従って患者の前腕及び上腕を動かすように構成されている。図６は、このアームロボットのアームを患者に装着した状態を示している。
【０００３】
こうした支援装置を用いて患者の麻痺した体肢のリハビリテーションを行う場合、患者がロボットに動かされるまま、受け身の姿勢で訓練に臨むよりも、患者が自ら麻痺した箇所を動かそうという意識を持ってロボットの運動支援を受けた方が、リハビリテーションの効果が上がることが知られている。
【０００４】
下記特許文献２には、そうした点を考慮して、患者の脳波から運動意図を表す脳波が観測されたときに運動支援装置を駆動するリハビリテーションシステムが開示されている。
このシステムでは、図７に示すように、患者の指を他動的に伸ばす電動装具３０、３１及びモータ３２が患者に装着され、作業療法士の合図に応じ、指を動かそうとする運動意図を持つように患者への指示が行われる。患者が指の運動意図を持つと、患者の脳波から運動意図に関連するＥＲＤ信号が検出され、この検出により電動装具３０のモータ３２が起動して患者の指が伸展する。そのため、摘まんでいたペグＰが落ちる。また、電動装具３０の駆動に合わせて、筋刺激電極３３から指の伸展に関わる患者の筋肉に電気刺激が付与される。
【先行技術文献】
【特許文献】
【０００５】
【特許文献１】特開２０１７−１５３７０６号公報
【特許文献２】特開２０１６−１３１８２号公報
【発明の概要】
【発明が解決しようとする課題】
【０００６】
特許文献２に記載されているように、脳波から特定の情報を識別し、その識別情報に基づいてマシンを駆動する“ブレイン・マシン・インタフェース（ＢＭＩ）”の技術は、各方面で研究されている。
しかし、脳が損傷した患者の脳波から特定の情報を識別することは可なり難しい。
【０００７】
脳波の観測は、通常、頭皮上に配置した複数の電極を通じて行われる。頭皮上の電極の取付位置は、国際１０／２０法で決められている。脳波は、脳内での神経活動によるインパルス（活動電位）の集合電位を、頭皮上の複数の電極を介して記録したものであり、脳内で特定の神経活動が発生すると、その影響が頭皮上の複数の電極で観測される。
図８は、健常者の脳内で覚醒時の意識と関連付けられるベータ波が発生しているときに、各電極で検出される信号の電極間の相互相関関係を示している。電極間を結ぶ線の太さが太い程、それらの電極で同じような信号が検出されることを示している。
一方、図９は、脳に損傷がある患者の脳内でベータ波が発生しているときの各電極間の相互相関関係を示している。
【０００８】
図８、図９から分かるように、脳に損傷がある患者の脳波は、健常者の脳波と可なり相違しており、健常者の脳波に比べて特徴を捉え難い。また、脳の損傷の程度が異なれば、患者間の脳波の相違も大きくなる。
そのため、脳に損傷がある患者の自発脳波から特徴を識別し、識別結果に基づいてリハビリテーションの運動支援装置を駆動することは実際上難しい。
【０００９】
本発明は、こうした事情を考慮して創案したものであり、脳の障害のために体肢が麻痺した患者のリハビリテーションを支援するシステムを提供し、その支援方法を提供することを目的としている。
【課題を解決するための手段】
【００１０】
本発明は、脳の障害のために体肢が麻痺した患者のリハビリテーションを支援するシステムであって、患者が、麻痺した体肢部分の運動の支援を受けるために装着する運動支援装置と、患者の脳波データを解析する脳波データ解析装置と、脳波データ解析装置の解析結果に基づいて運動支援装置の駆動を制御する制御ユニットと、を備えている。
上記脳波データ解析装置は、脳波データを取得する脳波取得部と、脳波データから、体肢部分の運動を意図したときに現れる運動想起データを識別して、体肢部分が麻痺していないヒトの運動想起データが分布する第１の領域と、体肢部分が麻痺しているヒトの運動想起データが分布する第２の領域とを分かつ境界線を機械学習し、運動支援装置を装着した患者の脳波データから識別した運動想起データの属する領域の情報、または、その運動想起データと境界線との間の距離を示す情報を出力する機械学習手段と、を有している。
また、上記制御ユニットは、運動支援装置を装着した患者の運動想起データが、境界線から所定距離以内にあるとき、または、第１の領域にあるとき、運動支援装置の駆動を指示する。
このシステムでは、運動支援装置を装着して機能回復訓練を行う患者の自発脳波から、健常者の運動想起データにある程度類似するデータが検出されれば、運動支援装置が駆動される。そのため、患者の運動意欲に基づいて、麻痺した体肢が運動支援装置の支援を受けて動くことになり、リハビリテーションの効果が向上する。また、患者は、こうした訓練を続けることで、健常者と同等の運動想起データが検出可能な自発脳波を出力できるようになる。
【００１１】
また、本発明のリハビリテーション支援システムでは、機械学習手段として、サポートベクターマシン（ＳＶＭ）を用いる。
ＳＶＭは、多数の健常者及び患者の脳波をサンプルデータに用いて、運動想起したときに信号変化が現れる電極位置を健常者の脳波から解析し、その位置の電極の信号によって表される健常者の運動想起データと患者の運動想起データとを分離する境界線を機械学習する。運動支援装置を装着した患者の脳波が入力すると、その患者の運動想起データと境界線との距離を算出して出力する。
【００１２】
また、本発明のリハビリテーション支援システムでは、ＳＶＭのサンプルデータとして、健常者の脳波データを用いても良いし、それに代えて、片麻痺患者の麻痺していない側の脳波データを用いても良い。
【００１３】
また、本発明のリハビリテーション支援システムでは、制御ユニットに、運動支援装置を装着した患者の麻痺した体肢部分にセラピストが手を添えて運動させたときの用手運動を記憶する記憶部を設け、患者の自発意思に基づいて運動支援装置を駆動するとき、記憶部に記憶された用手運動を再現させることが望ましい。
患者の自発意思に基づいて、患者の症状に合った運動が運動支援装置の支援の下で行われる。
【００１４】
また、本発明のリハビリテーション支援システムでは、運動支援装置として、図５に示すアームロボットを用いることができる。
【００１５】
また、本発明は、脳の障害のために体肢が麻痺した患者のリハビリテーションを支援する方法であって、体肢部分に麻痺が発生しているヒト及び麻痺が発生していないヒトの脳波データをサンプルデータとして取得するサンプル脳波取得ステップと、サンプル脳波取得ステップで取得した脳波データから、体肢部分の運動を意図したときに現れる運動想起データを識別して、体肢部分が麻痺していないヒトの運動想起データが分布する第１の領域と、体肢部分が麻痺しているヒトの運動想起データが分布する第２の領域とを分かつ境界線を機械学習する機械学習ステップと、体肢部分の運動を支援する運動支援装置を患者に装着し、この患者の体肢部分にセラピストが手を添えて用手運動を行い、そのときの運動支援装置の動作を記憶する用手運動記録ステップと、運動支援装置を装着した患者の脳波データを取得する患者脳波取得ステップと、患者脳波取得ステップで取得した脳波データから運動想起データを識別し、この運動想起データが属する領域、または、この運動想起データと境界線との間の距離を識別する患者脳波解析ステップと、運動支援装置を装着した患者の運動想起データが、境界線から所定距離以内にあるとき、または、第１の領域にあるとき、運動支援装置を駆動して用手運動を再現させる運動支援装置駆動ステップと、を備えている。
患者の自発意思に基づいて、患者の症状に合った運動を、運動支援装置を通じて支援することができる。
【発明の効果】
【００１６】
本発明により、脳に障害を持つために体肢が麻痺した患者のリハビリテーションを効果的に行うことができる。
【図面の簡単な説明】
【００１７】
【図１】本発明の実施形態に係るリハビリテーション支援システムの構成を示すブロック図
【図２】ＳＶＭの動作を説明する図
【図３】本発明の実施形態に係るリハビリテーション支援方法の手順を示すフロー図
【図４】用手運動療法の例を示す図
【図５】上肢運動を支援するアームロボットを示す図
【図６】図５のアームロボットを患者に装着した状態を示す図
【図７】従来のリハビリテーションシステムを示す図
【図８】各電極で検出される脳波データの相互相関関係を示す図（健常者）
【図９】各電極で検出される脳波データの相互相関関係を示す図（脳障害者）
【発明を実施するための形態】
【００１８】
図１は、本発明の実施形態に係るリハビリテーション支援システムの構成をブロック図で示している。
このシステムは、上肢が麻痺した患者のリハビリテーションを支援する運動支援装置（アームロボット）１０と、脳波を解析する脳波解析装置２０と、脳波解析装置２０の解析結果に基づいてアームロボット１０を駆動する制御ユニット３０とを備えている。
アームロボット１０は、図５に示すものであり、上腕を固定する固定部１１１を備える上腕駆動アーム１１と、前腕を固定する固定部１２１を備える前腕駆動アーム１２と、図５では明示していないが、制御ユニット３０の指示に基づいて上腕駆動アーム１１及び前腕駆動アーム１２を駆動する駆動部１３と、上腕駆動アーム１１及び前腕駆動アーム１２の動きの情報を運動療法情報として取得する運動療法情報取得部１４とを備えている。
【００１９】
脳波解析装置２０は、頭皮上に配置された電極を介して脳波を取得する脳波情報取得部２１と、取得した脳波を記録する脳波情報記録部２２と、記録された脳波情報を解析する脳波情報解析部２３と、を備えている。脳波情報解析部２３については、後に詳述する。
また、制御ユニット３０は、アームロボット１０の運動療法情報取得部１４から送られて来る運動療法情報を記録する運動療法情報記録部３１と、記録された運動療法情報から関節運動の速さや力・運動方向等を解析する運動療法情報解析部３２と、脳波情報解析部２３の解析結果を受けてアームロボット１０を駆動するかどうかを決定する駆動判定部３３と、駆動判定部３３がアームロボット１０の駆動を決定したとき、運動療法情報解析部３２で解析されたアームロボット１０の動きを駆動部１３に再現させる運動療法再現制御部３４と、を備えている。
【００２０】
脳波解析装置２０の脳波情報解析部２３は、特許請求の範囲で言う「機械学習手段」に相当するものであり、サポートベクターマシン（ＳＶＭ）により機械学習し、脳波を解析する。脳波情報解析部２３は、コンピュータがプログラムで規定された処理を実行することにより実現される。
脳波情報解析部２３の機械学習のために、まず、多数の健常者が上肢の運動をイメージしたとき（または、実際に上肢を動かす動作を行ったとき）の脳波が脳波情報取得部２１で取得される。
脳波情報解析部２３は、その多数の脳波から、健常者が上肢運動を想起したときに信号変化が現れる、相互相関関係が高い複数の電極の位置を学習する。そして、健常者が上肢運動を想起したときの脳波から、それらの電極で検出される脳波信号のパワースペクトルを成分とする健常者の運動想起データを求める。
同様に、脳波情報解析部２３は、脳に障害があるヒトが上肢運動をイメージしたとき（または、実際に上肢を動かす動作を行ったとき）の多数の脳波をサンプルデータに用いて、学習した前記電極で検出される脳波信号のパワースペクトルを成分とする“脳に障害があるヒト”の運動想起データを求める。
【００２１】
次いで、脳波情報解析部２３は、健常者の運動想起データと“脳に障害があるヒト”の運動想起データとを分ける境界線を機械学習する。
いま、運動想起データが、相互相関関係の高い二つの電極で検出される脳波信号のパワースペクトルを成分としていると仮定する。
この場合、健常者及び“脳に障害があるヒト”の運動想起データは、図２に示すように、Ｘ軸が一方の電極で検出される脳波信号のパワースペクトル成分の大きさを表し、Ｙ軸が他方の電極で検出される脳波信号のパワースペクトル成分の大きさを表す特徴空間にプロットすることができる。
【００２２】
この特徴空間に表示した健常者の運動想起データと“脳に障害があるヒト”の運動想起データとを分ける境界線を得るために、脳波情報解析部２３は、マージン（引いた境界線とデータとの最短距離）が最大になるように境界線を設定する。
なお、ここでは、二次元の特徴空間を例に説明したが、相互相関関係の高い電極の数が増えれば、それに応じて、特徴空間の次元数は多くなるし、電極の数が１であれば、特徴空間は１次元の空間になる。
【００２３】
脳波情報解析部２３は、こうした前処理を行った後、アームロボット１０に装着された患者の脳波を取得すると、学習した前記電極で検出された脳波信号のパワースペクトルを成分とする患者の運動想起データを算出して前記特徴空間にプロットする。そして、患者の運動想起データと境界線とを比較し、患者の運動想起データが、前記特徴空間の健常者の運動想起データが存在する第一領域にあるか、“脳に障害があるヒト”の運動想起データが存在する第二領域にあるかを識別する。第二領域にある場合は、患者の運動想起データと境界線との最短距離を算出する。
脳波情報解析部２３は、この識別結果や境界線との最短距離の情報を制御ユニット３０の駆動判定部３３に伝える。
【００２４】
駆動判定部３３は、患者の運動想起データが特徴空間の第一領域にある場合、及び、境界線との最短距離が所定距離未満である場合に、運動療法再現制御部３４にアームロボット１０を駆動するように指示する。
この指示を受けた運動療法再現制御部３４は、アームロボット１０の駆動部１３に、運動療法情報解析部３２で解析されたアームロボット１０の動きを再現させる。
【００２５】
図３のフロー図は、このシステムによる運動支援の手順を示している。
多数の健常者の脳波をサンプルデータに用いて、上肢を動かそうと意図したときに脳波の変化が現れる電極を識別し、その電極で検出される脳波データを上肢運動の運動想起データとして設定する（ステップ１）。健常者の運動想起データと、上肢が麻痺しているヒト（麻痺者）が上肢を動かそうと意図したときに前記電極で検出される運動想起データとを多数個集め、それらを運動想起データの特徴空間にプロットして、健常者の運動想起データと麻痺者の運動想起データとを分ける境界線を求める（ステップ２）。
次いで、上肢が麻痺した患者のリハビリテーションを支援するため、アームロボット１０を患者に装着し（ステップ３）、患者の上肢をセラピストが持って動かす用手運動療法を実行する。図４は、この時の様子を示している。このとき、アームロボット１０の動きの情報が運動療法情報取得部１４で取得され、制御ユニット３０の運動療法記録部３１に記録される（ステップ４）。
【００２６】
次いで、アームロボット１０を装着した患者の脳波を測定する（ステップ５）。
患者が上肢を動かそうと意図したときの脳波から、運動想起データ用に特定された前記電極で検出される患者の運動想起データが測定される。そして、患者の運動想起データが、特徴空間においてステップ２で求めた境界線とどのような関係にあるかが脳波情報解析部２３で解析される（ステップ６）。
患者の運動想起データが、特徴空間の健常者の運動想起データが存在する第１領域にあれば（ステップ７でＹｅｓ）、アームロボット１０による運動支援が開始される（ステップ１０）。患者の運動想起データが第１領域に無い場合は（ステップ７でＮｏ）、患者の運動想起データと境界線との最短距離が閾値未満であるかが解析され、閾値未満であれば（ステップ８でＹｅｓ）、アームロボット１０による運動支援が開始される（ステップ１０）。
【００２７】
患者の運動想起データと境界線との最短距離が閾値未満でないときは（ステップ８でＮｏ）、上肢を動かすために患者がどのようにイメージすれば良いかが指導され、あるいは、ステップ８での閾値を下げるように調整された後（ステップ９）、ステップ５からの手順が繰り返される。
【００２８】
ステップ７またはステップ８でＹｅｓの場合、制御ユニット３０の運動療法再現制御部３４は、運動療法情報記録部３１に記録された用手運動療法がアームロボット１０で再現されるように、アームロボット１０の駆動部１３を制御する。
用手運動療法の時間または回数が規定値に達すると（ステップ１１でＹｅｓ）、上肢運動療法で行われた手技が記録されて（ステップ１２）、終了する。ステップ１１でＮｏの場合は、ステップ５からの手順が繰り返される。
【００２９】
このように、このシステムでは、アームロボット１０を装着した患者の脳波から健常者の運動想起データにある程度類似するデータが検出されると、アームロボット１０を駆動するように構成している。アームロボット１０が駆動すると、患者は、思った通りに上肢が動いた、という疑似体験を経験することになる。そうした経験の積み重ねは、リハビリテーションの効果を高め、患者の脳波から検出される運動想起データが、健常者のそれにより近づく、と言う好循環を生むことになる。
【００３０】
ステップ８における閾値は、リハビリテーションの進度に応じて小さくしても良い。
また、ステップ６では、健常者の運動想起データと患者の運動想起データとが同一位置の電極で検出された脳波データから成るものとして説明した。例えば、図９において、健常者の運動想起データが右半球の電極Ｆ４及び電極Ｃ４で検出された脳波データを成分としている場合、患者の運動想起データも電極Ｆ４及び電極Ｃ４で検出された脳波データを成分としているものと説明した。
しかし、患者の運動想起データには、右半球の電極Ｆ４及び電極Ｃ４で検出された脳波データを成分とする運動想起データだけで無く、左半球の対応する電極Ｆ３及び電極Ｃ３で検出された脳波データを成分とする運動想起データを含めても良い。
これは、脳梗塞などによって失われた一方の側の脳の機能が、反対側の脳によって“肩代わり”される現象が見られるためである。
【００３１】
また、ステップ１、２の健常者の脳波の代わりに、片麻痺患者の麻痺していない側の脳波をサンプルデータとして用いても良い。
ここでは、上肢が麻痺した患者のリハビリテーションについて説明したが、本発明は、その他の体肢部分が麻痺した患者のリハビリテーションにも適用できる。
【産業上の利用可能性】
【００３２】
本発明のリハビリテーション支援システム及び支援方法は、脳に障害を持つために体肢が麻痺した患者のリハビリテーションを効果的に行うことが可能であり、リハビリ施設や病院等において広く利用することができる。
【符号の説明】
【００３３】
１０  運動支援装置（アームロボット）
１１  上腕駆動アーム
１２  前腕駆動アーム
１３  駆動部
１４  運動療法情報取得部
２０  脳波解析装置
２１  脳波情報取得部
２２  脳波情報記録部
２３  脳波情報解析部
３０  制御ユニット
３１  運動療法情報記録部
３２  運動療法情報解析部
３３  駆動判定部
３４  運動療法再現制御部
１１１  固定部
１２１  固定部
【図１】
2019180959.tif 000003
【図２】
2019180959.tif 000004
【図３】
2019180959.tif 000005
【図４】
2019180959.tif 000006
【図５】
2019180959.tif 000007
【図６】
2019180959.tif 000008
【図７】
2019180959.tif 000009
【図８】
2019180959.tif 000010
【図９】
2019180959.tif 000011
【手続補正書】
【提出日】令和1年8月4日(2019.8.4)
【手続補正１】
【補正対象書類名】特許請求の範囲
【補正対象項目名】全文
【補正方法】変更
【補正の内容】
【特許請求の範囲】
【請求項１】
脳の障害のために体肢が麻痺した患者のリハビリテーションを支援するシステムであって、
前記患者が、麻痺した体肢部分の運動の支援を受けるために装着する運動支援装置と、
前記患者の脳波データを解析する脳波データ解析装置と、
前記脳波データ解析装置の解析結果に基づいて前記運動支援装置の駆動を制御する制御ユニットと、
を備え、
前記脳波データ解析装置は、
脳波データを取得する脳波取得部と、
前記脳波データから、前記体肢部分の運動を意図したときに現れる運動想起データを識別して、前記体肢部分が麻痺していないヒトの前記運動想起データが分布する第１の領域と、前記体肢部分が麻痺しているヒトの前記運動想起データが分布する第２の領域とを分かつ境界線を機械学習し、前記運動支援装置を装着した患者の脳波データから識別した運動想起データの属する領域の情報、または、該運動想起データと前記境界線との間の距離を示す情報を出力する機械学習手段と、
を有し、
前記制御ユニットは、前記運動支援装置を装着した患者の前記運動想起データが、前記境界線から所定距離以内にあるとき、または、前記第１の領域にあるとき、前記運動支援装置の駆動を指示する、リハビリテーション支援システム。
【請求項２】
請求項１記載のリハビリテーション支援システムであって、
前記機械学習手段が、サポートベクターマシン（ＳＶＭ）である、リハビリテーション支援システム。
【請求項３】
請求項２記載のリハビリテーション支援システムであって、
前記ＳＶＭは、健常者の脳波データと、前記体肢部分が麻痺しているヒトの脳波データとを用いて前記境界線を機械学習する、リハビリテーション支援システム。
【請求項４】
請求項２記載のリハビリテーション支援システムであって、
前記ＳＶＭは、片麻痺患者の麻痺していない側の脳波データを、前記体肢部分が麻痺していないヒトの脳波データとして用いて前記境界線を機械学習する、リハビリテーション支援システム。
【請求項５】
請求項１記載のリハビリテーション支援システムであって、
前記制御ユニットは、前記運動支援装置を装着した患者の麻痺した体肢部分にセラピストが手を添えて運動させたときの用手運動を記憶する記憶部を有し、前記患者の前記運動想起データが、前記境界線から所定距離以内にあるとき、または、前記第１の領域にあるとき、前記運動支援装置に、前記記憶部に記憶された前記用手運動の再現を指示する、リハビリテーション支援システム。
【請求項６】
請求項１に記載のリハビリテーション支援システムであって、
前記運動支援装置は、上肢が麻痺した前記患者の上腕に装着される上腕駆動アームと、前記患者の前腕に装着される前腕駆動アームと、前記上腕駆動アーム及び前腕駆動アームを駆動する駆動部と、を備えるリハビリテーション支援システム。
【手続補正３】
【補正対象書類名】明細書
【補正対象項目名】０００１
【補正方法】変更
【補正の内容】
【０００１】
本発明は、脳性麻痺した体肢の運動機能を回復するリハビリテーションを支援する支援システムに関する。
【手続補正４】
【補正対象書類名】明細書
【補正対象項目名】０００９
【補正方法】変更
【補正の内容】
【０００９】
本発明は、こうした事情を考慮して創案したものであり、脳の障害のために体肢が麻痺した患者のリハビリテーションを支援するシステムを提供することを目的としている。
【手続補正５】
【補正対象書類名】明細書
【補正対象項目名】００１５
【補正方法】削除
【補正の内容】
【手続補正６】
【補正対象書類名】明細書
【補正対象項目名】００２４
【補正方法】変更
【補正の内容】
【００２４】
駆動判定部３３は、患者の運動想起データが特徴空間の第一領域にある場合、または、境界線との最短距離が所定距離未満である場合に、運動療法再現制御部３４にアームロボット１０を駆動するように指示する。
この指示を受けた運動療法再現制御部３４は、アームロボット１０の駆動部１３に、運動療法情報解析部３２で解析されたアームロボット１０の動きを再現させる。